(57)【要約】【課題】  オフィスなどの執務室に設置されるパーソナルコンピュータの熱による空調負荷を低減する。【解決手段】  第１空間と、第１空間の上方に位置する第２空間とを備え、第１空間には、吸気を行う第１吸気口３３が設けられるとともに、空調機３０から空調空気が供給され、第２空間には、吸気を行う第２吸気口５３が設けられるとともに、ＰＣ本体を設置するためのラック２１が設けられることを特徴とする。【選択図】図１
2010223552.tif 000002
【特許請求の範囲】
【請求項１】
第１空間と、第１空間の上方に位置する第２空間とを備え、
第１空間には、吸気を行う第１吸気口が設けられるとともに、空調機から空調空気が供給され、
第２空間には、吸気を行う第２吸気口が設けられるとともに、ＰＣ本体を設置するためのラックが設けられることを特徴とする
空調負荷低減システム。
【請求項２】
第１空間と第２空間とは、隔壁で隔てられることで形成されている
請求項１に記載の空調負荷低減システム。
【請求項３】
第１空間と第２空間との間には隔壁は設けられておらず、第２空間は、第１吸気口の配置面の上方とする
請求項１に記載の空調負荷低減システム。
【請求項４】
第２空間に設けられるラックは、第２空間の上面、あるいは、第２空間の側面に固定されている
請求項１乃至請求項３のいずれか１項に記載の空調負荷低減システム。
【請求項５】
第２空間に設けられたラックに設置されるＰＣ本体は、第１空間に設置されるコンソールと、有線または無線による接続手段によって接続される
請求項１乃至請求項４のいずれか１項に記載の空調負荷低減システム。
【請求項６】
第１空間に供給される空調空気は、第１空間の床面から供給される
請求項１乃至請求項５のいずれか１項に記載の空調負荷低減システム。
【請求項７】
第１空間と、第１空間の上方に位置する第２空間を形成し、
第１空間に、吸気を行う第１吸気口を設け、空調機から空調空気を供給するとともに、コンソールを設置し、
第２空間に、吸気を行う第２吸気口を設けるとともに、ＰＣ本体を設置し、
第１空間に設置されるコンソールと第２空間に設置されるＰＣ本体とを、有線、または、無線による接続手段によって接続する
空調負荷低減方法。
【発明の詳細な説明】
【技術分野】
【０００１】
本発明は、パーソナルコンピュータが設置されるオフィスなどにおいて、空調機を用いて温度調整が行われる空調負荷低減システム、空調負荷低減方法に関する。
【背景技術】
【０００２】
オフィスの執務室内のＯＡ機器の発熱により、冷房負荷が増えている。特に、自席に設置したＰＣ本体は数十から数百ワットの消費電力を有し、消費された電力はそのまま熱に変換される。近年では、ファイルサーバーやＷＥＢサーバーとして常時電源の入ったＰＣやその関連機器が増え、執務室（冷房空間）における冷房負荷の内、ＯＡ機器の発熱による負荷は全体のおよそ２０％である。冷房負荷の増大を招いている。
【０００３】
省エネのため冷房負荷を減らすには執務室に発熱体となるＰＣを持ち込まないことが望ましいが、サーバー室などを別途用意した事務所は少なく、執務空間にＰＣを設置することがほとんどである。
【０００４】
近年では、ファイル共有のため、グループ毎にサーバー機能を有するＰＣ本体を執務室内に設置して２４時間稼働させる状況も多くみられる。これらＰＣ本体は夜間、土日においても稼働させる必要があり、この期間において発生した熱量は室内に蓄熱されることとなり、空調時のさらなる冷房負荷となっている。このように熱源としてのＰＣ本体を、空調される執務室に持ち込む現状においては、室内発熱を減らして省エネを図ることが重要な課題となっている。
【０００５】
特許文献１には、電子装置室（サーバー機械室）に設置されるラックに格納されたサーバーなどの電子装置に、空調機器から吹き出す冷却空気で冷却を行うことが開示されている。このように、サーバーなどの電子装置を集約して格納した電子装置室が設けられた場合においても、電子装置室では冷房が行われることが通常であり冷房負荷は著しいものとなっている。
【０００６】
図４は、従来のオフィスにおける空調の様子を示した図である。人が執務を行う空調室には、コンソール１とそれに接続されたＰＣ本体２が、複数組設置されている。空調室の上部には、隔壁６１を挟んで天井室が形成される。この空調室には、空調室の温度調整、並びに、換気を行う空調手段が配置されている。空調手段は、空調機３０、室温センサ３１、制御手段３２、第１吸気口３３、吹出口３４、排気ファン３５、ダンパ３６を備えて構成されている。
【０００７】
この空調手段において、屋外から取り入れられた外気は、ダンパ３６にて空気量が調整されるとともに、第１吸気口３３から回収した空調室の空気と一緒に、空調機３０に送られる。一方、空調室には室温を検知する室温センサ３１が配置されており、検知された室温は制御手段３２に送信される。制御手段３２は、受信した室温に応じて空調室の室温が設定温度となるように空調機３０を制御する。
【０００８】
空調機３０は、ダンパ３６から送られてくる空気を冷却し、吹出口３４から空調室に空調空気を供給する。空調室の空気は、排気ファン３５によって第１吸気口３３から回収され、ダンパ３６にて空調機３０に戻る空気量と、屋外に排出される空気量に分けられ、空調機３０に再供給されるか、あるいは、屋外に排出される。
【０００９】
以上のように、従来のオフィスでは、コンソール１とＰＣ本体２とは組となって空調室
内に配置されたものとなっており、ＰＣ本体２からの熱量は、そのまま執務室内での気温を上昇させ空調機３０の負荷の原因となっている。
【００１０】
また、特許文献１に記載されるようなサーバーなどの電子装置を集約して格納する電子装置室が別途設けられるオフィスであったとしても、コンソール１とＰＣ本体２の組は、執務室に設置され、執務室における発熱量に変わりはない。
【先行技術文献】
【特許文献】
【００１１】
【特許文献１】特開２００３−５６８８２号公報
【発明の概要】
【発明が解決しようとする課題】
【００１２】
図４で説明したように、人が執務を行う従来の空調室には、コンソール１とＰＣ本体２の組が設置されることとなる。このＰＣ本体２における数十から数百ワット程度の消費電力は、そのまま熱量に変換されて空調手段における冷房負荷となる。本発明では、このＰＣ本体２で発生する熱による空調負荷を低減することを課題とするものである。
【課題を解決するための手段】
【００１３】
前述の課題を解決するため本発明では、第１空間と、第１空間の上方に位置する第２空間とを備え、第１空間には、吸気を行う第１吸気口が設けられるとともに、空調機からの空調空気が供給され、第２空間には、吸気を行う第２吸気口が設けられるとともに、ＰＣ本体を設置するためのラックが設けられることを特徴とするものである。
【発明の効果】
【００１４】
本発明によれば、執務空間で使用されるＰＣ本体を天井内や天井付近といった空間に設置し、ＰＣ本体にて暖められた空気を優先的に排気することで執務が行われる空間での温度上昇を抑制し、省エネを実現することが可能となる。
【図面の簡単な説明】
【００１５】
【図１】本発明の実施形態に係るオフィス空間の様子を示した図。
【図２】本発明の実施形態に係る各種接続手段を示した図。
【図３】本発明の他の実施形態に係るオフィス空間の様子を示した図。
【図４】従来のオフィスの様子を示した図。
【発明を実施するための形態】
【００１６】
図１は、本発明の実施形態に係るオフィス空間の様子を示した図である。本実施形態では、オフィス空間は、人が業務を行うスペースとなる空調室（本発明における「第１空間」）と、空調手段の主要構成が配置される天井室に隔壁６１によって分けられている。
【００１７】
第１空間となる空調室は、空調手段によって内部の温度が適温に保たれる。本実施形態では、この空調手段は、空調機３０、室温センサ３１、第１吸気口３３、吹出口３４にて構成される。
【００１８】
本実施形態においては、空調室の空調を担う空調手段は、空調室と隣り合う形で配置されたものとなっているが、空調手段はこのような配置に限られるものではなく、従来例にて説明した天井室に配置するものであってもよい。また、空調の手法についても、後で説明する全面床吹出空調や、例えば、セントラル式、パッケージ式、冷水式、冷媒式など各種のものを利用することができ、その種類を問うものではない。
【００１９】
外部からの空気は、空調機３０に取り入れられる。また、空調機３０には、第１吸気口３３を介して空調室内の空気も取り入れられる。このようにして空調機３０に取り入れられた空気は、吹出口３４から空調空気として空調室内へ送られることとなる。その際、空調室に設けられた室温センサ３１が検出する室温にて空調空気の温度、風量などが制御される。
【００２０】
このようにして空調室は、空調手段により人が執務を行うのに快適な温度に保たれる。一方、天井室には、空調室５と連通する通気口６２と、天井室内部の空気を吸気する第２吸気口５３が設けられており、通気口６２から空調室の空気が取り入れられ、第２吸気口５３から空気を外部に排気する構成としている。
【００２１】
この天井室内の第２吸気口５３からの排気は、自然排気としてもよいが、本実施形態では、第２吸気口５３から外部までの経路に排気ファン５０が設けられており、天井室内の空気を強制的に外部に排気できる構成としている。この構成により、空調手段により空調室内に供給された空調空気は、天井室に移動し、第２吸気口５３から優先的に排気される。なお、本実施形態では、この天井室と空調室との間に通気口６２を設けることで、天井室に空気を取り入れる構成としたが、空調室から取り入れることに代えて外部など他の空間から取り入れる構成としてもよい。
【００２２】
さらに、本実施形態では、この排気ファン５０の排気量を制御する制御手段５２が設けられており、室温センサ５１にて検出された天井室内の温度によって排気量が制御されることとしている。この構成により、天井室内の温度変化に応じて排気を行ったり、排気量の調整を行うことが可能となる。
【００２３】
以上、本実施形態では、第１空間に空調手段を、第２空間に排気手段を設け、それぞれを独立して制御する構成としているが、空調手段と排気手段とを統括して制御する制御部を設けることとしてもよい。さらには、図４で説明したダンパ３６を設け、制御部からの制御にて、取り込む外気と、排気の量、並びに、排気手段から空調手段に戻す空気量を調整可能とすることとしてもよい。
【００２４】
では、次に、空調室（第１空間）に設置されるコンソール１、天井室（第２空間）に設置されるＰＣ本体２について説明する。コンソール１は、利用者と情報のやりとりを行う各種ユーザインタフェースに相当するものであり、利用者に対して各種情報を提示する提示手段と、利用者から各種情報を取得する入力手段に大別することができる。提示手段としては、代表的には、映像を表示するモニタ、音声を出力するスピーカ、プリンタなどがあげられる。
【００２５】
また、入力手段としては、キーボード、マウス、タッチパネル、マイクロフォン、スキャナ、カメラ、ＵＳＢメモリ、各種ドライブ装置などがあげられる。これらの各種ユーザインタフェースは、消費電力は大きいものでも数十ワット程度であって、発生する熱量はＰＣ本体２に比べて小さい。これらのコンソール１は、従来と同様、空調室内において机上などに操作者が操作可能なように設置され、業務に使用される。
【００２６】
一方、ＰＣ本体２は、いわゆるデスクトップパソコンの筐体としてのパソコンケースに収められた装置であって、内部には、電源、ＣＰＵ、メモリ、ハードディスクなどが格納されている。ＰＣ本体２の消費電力は数百ワット程度であり、発生する熱量は執務室内で利用されるＯＡ機器の中でも大きいものとなっている。
【００２７】
本実施形態では、このＰＣ本体２を、空調室の上方に設けられた天井室内に配置することとしている。特に、本実施形態では、天井室内にＰＣ本体２を設置するためのラック２
１が設けられている。
【００２８】
このラック２１は、例えば図に示すように天井室の上面から吊り下げられたものである。このようなラック２１を用いてＰＣ本体２を設置することで、ＰＣ本体２を強度が弱い隔壁２１上に載置することなく、天井室内に設置することが可能となる。また、このラック２１にＰＣ本体２を固定する固定手段を設けておくことで、高所に設置されるＰＣ本体２を安全に支えることができる。
【００２９】
なお、本実施形態では、このラック２１を天井室の上面に固定することとしたが、天井室の側面に固定することとしてもよく、その場合にも同様の効果が得られる。また、このラック２１に手動、または、電動による昇降手段を設けれることとしてもよい。ラック２１を天井室から空調室に降ろして空調室側で作業を行うことで、ＰＣ本体２の設置、並びにＰＣ本体２のメンテナンスなどを空調室側で楽に行うことができる。
【００３０】
本実施形態のように、天井室と空調室の間に隔壁６１が設けられている場合には、昇降手段を設ける場合には、隔壁６１に開閉部を設けたり、ラック２１の底面を隔壁６１の一部とすることでラック２１を昇降させることができる。
【００３１】
以上説明した、コンソール１と、ＰＣ本体２は、接続手段４によって接続される。図１に示すように、各コンソール１とＰＣ本体２とは１対１の接続関係の態様で接続される。ＰＣ本体２との間の距離が短い場合、この接続手段４には、ＰＣ本体２とコンソール１を接続する既存のケーブルを利用することができるが、その間の距離が長く、その長さが不足する場合には、各種ケーブル、中継ユニットなどによって構成される延長機能を備えた接続手段４を利用することとしてもよい。
【００３２】
また、この接続手段４には、ケーブルを用いた有線のものに限らず、コンソール１とＰＣ本体２を無線にて接続する形態としてもよい。このように、接続手段４にてコンソール１とＰＣ本体２を接続することで、利用者は、ＰＣ本体２から離れた位置に設置されたコンソール１にて業務を行うことが可能となる。
【００３３】
本実施形態では、接続手段４によって、空調室（第１空間）に設置されたコンソール１と、その上方に位置する天井室（第２空間）に設置されたＰＣ本体２が接続される。このような配置を採用することで、ＰＣ本体２で発生した大きな熱量は、空調室に流出することなく優先的に外部に排気される。そのため、ＰＣ本体２で発生した熱量は空調機３０の冷房負荷となることがなく、空調機３０の消費電力を低減することができる。
【００３４】
ＰＣ本体２の消費電力量（発熱量）は、１台あたり１００〜２００Ｗ程度であるため、執務空間での占有率が０．２／ｍ2で、１人あたり１５０ＷのＰＣ本体２を１台所有して
いる場合には、約３０Ｗ／ｍ2の発熱を削減できる。一般的な執務室の冷房負荷は１４０
Ｗ／ｍ2であるため、本実施形態を利用することで従来より２０％程度の省エネが実現で
きる。
【００３５】
ＰＣ本体２とコンソール１間の距離が長い場合に用いられる延長機能を有する接続手段４の各種実施形態について図２（Ａ）〜（Ｃ）を用いて説明を行う。ＰＣ本体２とコンソール１を接続する各種接続手段４としては、市販のものを用いることができるが、これら接続手段４は、本来、工場や研究所などにいおいて粉塵や湿気などからパソコン本体を保護したり、公共施設や展示会などで不特定多数の人が使用するパソコンのいたずら防止を目的としてＰＣ本体２とコンソール１を隔離するために用いられている。
【００３６】
このような市販の接続手段４を、空調室（第１空間）に設置したコンソール１と天井室
（第２空間）に設置したＰＣ本体２の接続に利用することで、ＰＣ本体２とコンソール１間の距離が長い場合においても、コンソール１での作業が可能となる。また、ＰＣ本体２、コンソール１の配置レイアウトの自由度も向上し、特にＰＣ本体２については、天井室（第２空間）の所定位置に複数台をまとめて置くことで、排気処理、ＰＣ本体２のメンテナンスが楽になる。
【００３７】
図２（Ａ）において、４１１は各種の第１端子群、４１２は第１ケーブル、４１３は各種の第２端子群、４１４は中継ユニット、４１５は各種の第３端子群、４１６は第２ケーブル、４１７は各種の第４端子群を示している。そして、コンソール１として、モニタ１１、キーボード１２、マウス１３が配置されている。
【００３８】
第１端子群４１１において、４１１ａは第１モニタ接続端子、４１１ｂは第１キーボード接続端子、４１１ｃは第１マウス接続端子を示す。これら第１端子群４１１は、ＰＣ本体２に接続されると共に、第１ケーブル４１２を介して、それぞれ第２モニタ接続端子４１３ａ、第２キーボード接続端子４１３ｂ、第２マウス接続端子４１３ｃと繋がっている。この第１ケーブル４１２は３ｍまでの長さで利用することが可能となっている。この４１３ａ〜ｃの各種端子は、中継ユニット４１４に接続される。この中継ユニット４１４は、エミュレータ、もしくはＣＰＵ切り替え器により構成されるものであって、これに繋がる第２ケーブル４１６により、第１ケーブルの最大長３ｍを超える接続長を実現できる。なお、３ｍ以内の長さにおいてコンソール１とＰＣ本体２が接続できる配置とするのであれば、中継ユニット４１４を設けない構成としてもよい。
【００３９】
中継ユニット４１４には、第３モニタ接続端子４１５ａ、第３キーボード接続端子４１５ｂ、第３マウス接続端子４１５ｃが接続される。これらの第３端子群４１５は第２ケーブル４１６を介してそれぞれ、第４モニタ接続端子４１７ａ、第４キーボード接続端子４１７ｂ、第４モニタ接続端子４１７ｃに繋がる。この第２ケーブルは８０ｍまでの長さで利用することが可能となっている。これら第４端子群４１７を、モニタ１１、キーボード１２、マウス１３といったコンソール１に図示するようにケーブルを介して、あるいは、直接接続することでコンソール１によるＰＣ本体２の操作、制御が可能となる。
【００４０】
業務を開始する利用者は、キーボード１２、あるいは、マウス１３といったコンソール１における入力手段にて所定の操作を行うことでＰＣ本体２の電源を投入することが可能である。業務を終了した利用者は、コンソール１における入力手段を操作することでＰＣ本体２の電源を落とすことができる。このように、利用者はＰＣ本体２に直接触れることなく、空調室に設置されたコンソール１にて業務を行うことができる。
【００４１】
図２（Ｂ）は、接続手段４の別実施形態を示した図である。４１８は各種の第５端子群、４１９は第３ケーブル、４２０は各種の第６端子群、４２１はローカルユニット、４２２は第４ケーブル、４２３はリモートユニットを示している。そして、コンソール１としては、図２（Ａ）で示したモニタ１１、キーボード１２、マウス１３に加え、提示手段としてのスピーカ１４、入力手段としてのマイクロフォン１５が更に配置されている。
【００４２】
第５端子群４１８において、４１８ａは第５モニタ接続端子、４１８ｂは第５キーボード接続端子、４１８ｃは第５マウス接続端子、４１８ｄは第５スピーカ接続端子、４１８ｅは第５マイクロフォン接続端子を示す。これら第５端子群４１８は、ＰＣ本体２に接続されると共に、第３ケーブル４１９を介して第６端子群４２０と繋がっている。この第３ケーブルは、数ｍまでの長さで利用することが可能となっている。第６端子群４２０には、統合端子４２０ａ、第６スピーカ接続端子４２０ｄ、第６マイクロフォン接続端子４２０ｅが備えられ、ローカルユニット４２１に接続される。このローカルユニット４２１からは第４ケーブル４２２が延びており、この第４ケーブル４２２にはＬＡＮケーブルなど
を利用することで数百ｍまでの長さで利用することが可能となっている。第４ケーブル４２２の他端には、コンソール１を接続する各種端子が備えられたリモートユニット４２３が配置され、図２（Ｂ）の場合では、モニタ１１、キーボード１２、マウス１３、スピーカ１４、マイクロフォン１５を接続する各種端子が備えられている。
【００４３】
図２（Ｃ）は、コンソール１にＵＳＢ機器１６を用いる場合の接続手段４の実施形態であり、４２４はＵＳＢ端子、４２５は第５ケーブル、４２６はＵＳＢローカルユニット、４２７は第６ケーブル、４２８はＵＳＢリモートユニットを示している。ＵＳＢ端子４２４はＰＣ本体２に接続されると共に、ＵＳＢ端子４２４から延びる第５ケーブル４２５にはＵＳＢローカルユニット４２６が設けられている。ＵＳＢローカルユニット４２６には、ＬＡＮケーブルなどを用いた第６ケーブル４２７を介してＵＳＢリモートユニット４２８が設けられている。この第６ケーブル４２７はＵＳＢ２．０の規格を用いた場合は５ｍまで、ＵＳＢ１．１の規格であれば６０ｍまでの延長が可能となっている。ＵＳＢリモートユニット４２８には、コンソール１の１つとしての、キーボード、マウス、カメラ、デジタルカメラ、メモリ、ハードディスク、ＣＤ／ＤＶＤドライブなどの各種ＵＳＢ機器１６が接続される。図に示す実施形態では、１つのＵＳＢ機器１６が接続されているが、ＵＳＢハブを用いることで複数のＵＳＢ機器１６を接続することも可能となる。
【００４４】
このようなＵＳＢ機器１６に対する接続手段４を採用、もしくは、併用すれば、コンソール１としてＵＳＢ１６機器を利用することが可能となり、コンソール１として種類豊富な各種ＵＳＢ機器１６を利用することが可能となる。
【００４５】
図３は、図１で説明した実施形態とは異なる本発明の実施形態を示したものである。図３の実施形態において、図１の実施形態とは、以下の２つの点で異なったものとなっている。
（１）図１の実施形態では、空調手段は上方の吹出口３４によって空調空気を供給していたのに対し、本実施形態では、空調空気を床下から供給する全面床吹出空調としている点（特許第３３１７４６８号公報参照）。
（２）図１の実施形態では、第１空間と第２空間とが隔壁６１（天井）によって隔てられていたのに対し、本実施形態では、第１空間と第２空間の間には隔壁が設けられておらず、第１空間と第２空間とは、空調手段の第１吸気口の吸気面を境として形成されている点。
【００４６】
では、図１の実施形態と異なる上記（１）の点について説明を行う。本実施形態では、空調室（第１空間）の床面６３の下部には給気室６５が形成されている。空調機３０は、この給気室６５に対して空調空気を排出し、通気性のある床面６３から執務室内へ空調空気がにじみ出すように供給される。
【００４７】
このような全面床吹出空調によれば、床面６３からにじみ出す空調空気によって、床面６３から上方に向けて押し流し流れ（置換空調）が形成される。また、空調空気の供給は床面６３から行われるため、執務室内上方、あるいは、図１で説明した吹出口３４やそれに接続するダクトなどを設ける必要がなく、第２空間（天井室）内に設置されるＰＣ本体２のレイアウトの自由度が向上する。
【００４８】
次に、図１の実施形態と異なる上記（２）の点について説明を行う。本実施形態では、第１空間と第２空間の間に隔壁は設けられておらず、第１空間と第２空間とは、空調手段の第１吸気口３３の吸気面を境として形成されている。この吸気面とは、第１吸気口３３が設けられた位置と平行な面であって、ＰＣ本体２は、この吸気面よりも上方、すなわち、第２空間内に設置される。
【００４９】
このような構成を採用した場合においてもＰＣ本体２で暖められた空気は上昇する傾向にあるため、第１空間、特に、第１吸気口３３にほとんど流出することなく第２吸気口５３から回収されて外部へと排気される。また、この構成では、天井室が設けられていないオフィス空間であっても、ＰＣ本体２を設置するためのラック２１を設けることで実施することが可能となる。なお、ラック２１の詳細については図１で説明した実施形態と同様としている。
【００５０】
以上、図３を用いて他の実施形態について説明を行ったが、上記（１）、（２）の構成については、その両方を併せて用いる必要はなく、どちらかを図１で説明した実施形態のものに代えて用いることとしても構わない。
【００５１】
以上、本発明では、第２空間に熱源としてのＰＣ２を隔離配置することで、空調機３０に対する空調負荷を低減することが可能となるとともに、第１空間にコンソール１が配置されることで、隔離配置されているＰＣ本体２の操作も従来通り行うことが可能となっている。
【００５２】
さらに、第２室空間から排気された空気の廃熱を利用することとしてもよい。ＰＣ本体２により暖められた空気は、他の室温に比べて高くなるため、例えば、排気される空気を利用したデシカント空調（除湿）、各種給湯施設での利用など、廃熱を利用した省エネを行うことが考えられる。さらには、空調機３０を暖房に利用する冬期などでは、第２空間からの排気を空調機３０側に戻す構成を採用することで、空調手段で使用する消費電力を抑えることも可能となる。
【００５３】
なお、本発明はこれらの実施形態のみに限られるものではなく、それぞれの実施形態の構成を適宜組み合わせて構成した実施形態も本発明の範疇となるものである。
【符号の説明】
【００５４】
１…コンソール、１１…モニタ、１２…キーボード、１３…マウス、１４…スピーカ、１５…マイクロフォン、１６…ＵＳＢ機器、２…ＰＣ本体、２１…ラック、３０…空調機、３１…室温センサ、３３…第１吸気口、３４…吹出口、３５…排気ファン、３６…ダンパ、４…接続手段、４１１…第１端子群、４１２…第１ケーブル、４１３…第２端子群、４１４…中継ユニット、４１５…第３端子群、４１６…第２ケーブル、４１７…第４端子群、４１８…第５端子群、４１９…第３ケーブル、４２０…第６端子群、４２１…ローカルユニット、４２２…第４ケーブル、４２３…リモートユニット、４２４…ＵＳＢ端子、４２５…第５ケーブル、４２６…ＵＳＢローカルユニット、４２７…第６ケーブル、４２８…ＵＳＢリモートユニット、５０…排気ファン、５１…室温センサ、５２…制御手段、５３…第２吸気口、６１…天井（隔壁）、６２…通気口、６３…通気性のある床面、６５…給気室
【図１】
2010223552.tif 000003
【図２】
2010223552.tif 000004
【図３】
2010223552.tif 000005
【図４】
2010223552.tif 000006